【手続補正書】
【提出日】平成16年7月2日(2004.7.2)
【手続補正１】
【補正対象書類名】明細書
【補正対象項目名】請求項３
【補正方法】変更
【補正の内容】
【請求項３】
Ｒfが１価であるとき、ペルフルオロポリエーテル基の末端Ｔが、−ＣＦ3、−Ｃ2Ｆ5、−Ｃ3Ｆ7、ＣｌＣＦ2ＣＦ（ＣＦ3）−、ＣＦ3ＣＦＣｌＣＦ2−、ＣｌＣＦ2ＣＦ2−、ＣｌＣＦ2−から選択される、請求項２に記載のフッ素化モノマーの懸濁液中での重合における界面活性剤の使用。
【手続補正２】
【補正対象書類名】明細書
【補正対象項目名】請求項５
【補正方法】変更
【補正の内容】
【請求項５】
ペルフルオロポリエーテルＲfが、
（ａ）Ｔ−Ｏ（ＣＦ2ＣＦ（ＣＦ3）Ｏ）a（ＣＦＸＯ）b−
〔ＸはＦまたはＣＦ3であり、ａおよびｂは分子量が上記の範囲になるような整数であり、ａ／ｂは１０〜１００であるか、あるいは（ａ）で示された反復単位が次のようにつながって２価の基Ｒf：
−Ｏ（ＣＦ2ＣＦ（ＣＦ3）Ｏ）a（ＣＦＸＯ）b−Ｏ−ＣＦ2（Ｒ'f）xＣＦ2−Ｏ−（ＣＦ2ＣＦ（ＣＦ3）Ｏ）a（ＣＦＸＯ）b−［ここでＲ'fはフルオロアルキレン基である］となっていてもよい〕；
（ｂ）Ｔ−Ｏ（ＣＦ2ＣＦ2Ｏ）c（ＣＦ2Ｏ）d（ＣＦ2（ＣＦ2）zＣＦ2Ｏ）h−
〔ｃ，ｄおよびｈは分子量が上記の範囲になるような数であり、ｃ／ｄは０．１〜１０であり、ｈ／（ｃ＋ｄ）は０〜０．０５であり、ｚは前記の値である〕；
（ｂ'）−Ｏ（ＣＦ2ＣＦ2Ｏ）c（ＣＦ2Ｏ）d（ＣＦ2（ＣＦ2）zＣＦ2Ｏ）h−
〔ｃ，ｄおよびｈは分子量が上記の範囲になるような数であり、ｃ／ｄは０．１〜１０であり、ｈ／（ｃ＋ｄ）は０〜０．０５であり、ｚは前記の値である〕；
（ｃ）Ｔ−Ｏ（ＣＦ2ＣＦ（ＣＦ3）Ｏ）e（ＣＦ2ＣＦ2Ｏ）f（ＣＦＸＯ）g−
〔ＸはＦまたはＣＦ3であり、ｅ、ｆ、ｇは分子量が上記の範囲になるような数であり、ｅ／（ｆ＋ｇ）は０．１〜１０であり、ｆ／ｇは２〜１０である〕；
（ｃ'）−Ｏ（ＣＦ2ＣＦ（ＣＦ3）Ｏ）e（ＣＦ2ＣＦ2Ｏ）f（ＣＦＸＯ）g−
〔ＸはＦまたはＣＦ3であり、ｅ、ｆ、ｇは分子量が上記の範囲になるような数であり、ｅ／（ｆ＋ｇ）は０．１〜１０であり、ｆ／ｇは２〜１０である〕；
（ｄ）Ｔ−Ｏ（ＣＦ2Ｏ）j（ＣＦ2ＣＦ（ＯＲf''）Ｏ）k（ＣＦ（ＯＲf''）Ｏ）l−
〔Ｒf''は−ＣＦ3、−Ｃ2Ｆ5、−Ｃ3Ｆ7であり、ｊ、ｋ、ｌは分子量が上記の範囲になるような数であり、ｋ＋ｌおよびｊ＋ｋ＋ｌは少なくとも２であり、ｋ／（ｊ＋ｌ）は０．０１〜１０００であり、ｌ／ｊは０．０１〜１００である〕；
（ｅ）Ｔ−Ｏ（ＣＦ2（ＣＦ2）zＣＦ2Ｏ）s−
〔ｓは分子量が上記の範囲になるような整数であり、ｚは前記の意味を有する〕；
（ｅ'）−Ｏ（ＣＦ2（ＣＦ2）zＣＦ2Ｏ）s−
〔ｓは分子量が上記の範囲になるような整数であり、ｚは前記の意味を有する〕；
（ｆ）Ｔ−Ｏ（ＣＲ4Ｒ5ＣＦ2ＣＦ2Ｏ）j'−
〔Ｒ4およびＲ5は相互に同一または異なってＨ、Ｃｌまたはペルフルオロアルキルであり、ｊ'は分子量が上記の範囲になるような整数であり、フルオロポリオキシアルキレン鎖の中の単位は次のように相互につながって２価の基：
−Ｏ（ＣＲ4Ｒ5ＣＦ2ＣＦ2Ｏ）p'−Ｏ−Ｒ'f−Ｏ−（ＣＲ4Ｒ5ＣＦ2ＣＦ2Ｏ）q'−［ここでＲ'fはフルオロアルキレン基であり、ｐ'およびｑ'は０〜２００の整数であり、ｐ'＋ｑ'は少なくとも１であって分子量が上記の範囲になるような数である］となる〕；
（ｇ）Ｔ−Ｏ（ＣＦ（ＣＦ3）ＣＦ2Ｏ）j''−
〔ｊ''は分子量が上記の範囲になるような整数であり、フルオロポリオキシアルキレン鎖の中の単位は次のように相互につながって２価の基：
−（ＯＣＦ2ＣＦ（ＣＦ3））a'Ｏ−ＣＦ2（Ｒ'f）xＣＦ2−Ｏ−（ＣＦ（ＣＦ3）ＣＦ2Ｏ）b'−［ここでＲ'fは上記の意味を有し、ｘは０または１であり、ａ'およびｂ'は整数であり、ａ'＋ｂ'は少なくとも１であって分子量が上記の範囲になるような数である］となる〕
から選択される、請求項２〜４のいずれかに記載のフッ素化モノマーの懸濁液中での重合における界面活性剤の使用。
【手続補正３】
【補正対象書類名】明細書
【補正対象項目名】請求項９
【補正方法】変更
【補正の内容】
【請求項９】
水素含有フッ素化ポリマーが、
（１）完全に水素化されたオレフィンとペル（ハロ）フルオロオレフィンとのモル比が４０：６０〜６０：４０であり、任意に少量の、式ＣＸ2＝ＣＦＲf0［ここでＸはＨまたはＦ、Ｒf0はＣ2〜Ｃ10のフルオロアルキルである］で表され、任意に１またはそれ以上のエーテル基を含む化合物；またはペルフルオロジオキソール類から選択される１種またはそれ以上のフッ素化コモノマーを含んでいてもよい、Ｃ2〜Ｃ8のペル（ハロ）フルオロオレフィンと完全に水素化されたＣ2〜Ｃ8のオレフィンとのコポリマー、
（２）少量の、ビニルフルオライド、クロロトリフルオロエチレン、ヘキサフルオロプロペン、テトラフルオロエチレン、トリフルオロエチレンのような１種またはそれ以上のフッ素化コモノマー類で任意に改質されたポリビニリデンフルオライドまたはポリビニルフルオライド
から選択される、請求項８に記載のフッ素化モノマーの懸濁液中での重合における界面活性剤の使用。
【手続補正４】
【補正対象書類名】明細書
【補正対象項目名】００１１
【補正方法】変更
【補正の内容】
【００１１】
Ｒf基が１価であるとき、ペルフルオロポリエーテル基の末端（Ｔ）は、−ＣＦ3、−Ｃ2Ｆ5、−Ｃ3Ｆ7、ＣｌＣＦ2ＣＦ（ＣＦ3）−、ＣＦ3ＣＦＣｌＣＦ2−、ＣｌＣＦ2ＣＦ2−、ＣｌＣＦ2−から選択される。
特に好ましいペルフルオロポリエーテルＲfとしては、次のようなものが挙げられる；
（ａ）Ｔ−Ｏ（ＣＦ2ＣＦ（ＣＦ3）Ｏ）a（ＣＦＸＯ）b−
〔ＸはＦまたはＣＦ3であり、ａおよびｂは分子量が上記の範囲になるような整数であり、ａ／ｂは１０〜１００であるか、あるいは（ａ）で示された反復単位が次のようにつながって２価の基Ｒf：
−Ｏ（ＣＦ2ＣＦ（ＣＦ3）Ｏ）a（ＣＦＸＯ）b−Ｏ−ＣＦ2（Ｒ'f）xＣＦ2−Ｏ−（ＣＦ2ＣＦ（ＣＦ3）Ｏ）a（ＣＦＸＯ）b−［ここでＲ'fは例えば炭素原子１〜４のフルオロアルキレン基である］となっていてもよい〕
（ｂ）Ｔ−Ｏ（ＣＦ2ＣＦ2Ｏ）c（ＣＦ2Ｏ）d（ＣＦ2（ＣＦ2）zＣＦ2Ｏ）h−
〔ｃ，ｄおよびｈは分子量が上記の範囲になるような数であり、ｃ／ｄは０．１〜１０であり、ｈ／（ｃ＋ｄ）は０〜０．０５であり、ｚは前記の値である〕、
（ｂ'）−Ｏ（ＣＦ2ＣＦ2Ｏ）c（ＣＦ2Ｏ）d（ＣＦ2（ＣＦ2）zＣＦ2Ｏ）h−
〔ｃ，ｄおよびｈは分子量が上記の範囲になるような数であり、ｃ／ｄは０．１〜１０であり、ｈ／（ｃ＋ｄ）は０〜０．０５であり、ｚは前記の値である〕、
（ｃ）Ｔ−Ｏ（ＣＦ2ＣＦ（ＣＦ3）Ｏ）e（ＣＦ2ＣＦ2Ｏ）f（ＣＦＸＯ）g−
〔ＸはＦまたはＣＦ3であり、ｅ、ｆ、ｇは分子量が上記の範囲になるような数であり、ｅ／（ｆ＋ｇ）は０．１〜１０であり、ｆ／ｇは２〜１０である〕、
（ｃ' ）−Ｏ（ＣＦ2ＣＦ（ＣＦ3）Ｏ）e（ＣＦ2ＣＦ2Ｏ）f（ＣＦＸＯ）g−
〔ＸはＦまたはＣＦ3であり、ｅ、ｆ、ｇは分子量が上記の範囲になるような数であり、ｅ／（ｆ＋ｇ）は０．１〜１０であり、ｆ／ｇは２〜１０である〕、
（ｄ）Ｔ−Ｏ（ＣＦ2Ｏ）j（ＣＦ2ＣＦ（ＯＲf''）Ｏ）k （ＣＦ（ＯＲf''）Ｏ）l−
〔Ｒf''は−ＣＦ3、−Ｃ2Ｆ5、−Ｃ3Ｆ7であり、ｊ、ｋ、ｌは分子量が上記の範囲になるような数であり、ｋ＋ｌおよびｊ＋ｋ＋ｌは少なくとも２であり、ｋ／（ｊ＋ｌ）は０．０１〜１０００であり、ｌ／ｊは０．０１〜１００である〕、
（ｅ）Ｔ−Ｏ（ＣＦ2（ＣＦ2）zＣＦ2Ｏ）s−
〔ｓは分子量が上記の範囲になるような整数であり、ｚは前記の意味を有する〕、
（ｅ'）−Ｏ（ＣＦ2（ＣＦ2）zＣＦ2Ｏ）s−
〔ｓは分子量が上記の範囲になるような整数であり、ｚは前記の意味を有する〕、
（ｆ）Ｔ−Ｏ（ＣＲ4Ｒ5ＣＦ2ＣＦ2Ｏ）j'−
〔Ｒ4およびＲ5は相互に同一または異なってＨ、Ｃｌまたは例えば炭素原子１〜４のペルフルオロアルキルであり、ｊ'は分子量が上記の範囲になるような整数であり、フルオロポリオキシ−アルキレン鎖の中の単位は次のように相互につながって２価の基：
−（ＯＣＲ4Ｒ5ＣＦ2ＣＦ2）p'−Ｏ−Ｒ'f−Ｏ−（ＣＲ4Ｒ5ＣＦ2ＣＦ2Ｏ）q'−［ここでＲ'fは例えば炭素原子１〜４のフルオロアルキレン基であり、ｐ'およびｑ'は０〜２００の整数であり、ｐ'＋ｑ'は少なくとも１であって分子量が上記の範囲になるような数である］となる〕、
（ｇ）Ｔ−Ｏ（ＣＦ（ＣＦ3）ＣＦ2Ｏ）j''−
〔ｊ''は分子量が上記の範囲になるような整数であり、該単位はフルオロポリオキシアルキレン鎖の中で次のように相互につながって２価の基：
−（ＯＣＦ2ＣＦ（ＣＦ3））a'Ｏ−ＣＦ2（Ｒ'f）xＣＦ2−Ｏ−（ＣＦ（ＣＦ3）ＣＦ2Ｏ）b'−［ここでＲ'fは上記の意味を有し、ｘは０または１であり、ａ'およびｂ'は整数であり、ａ'＋ｂ'は少なくとも１であって分子量が上記の範囲になるような数である］となる〕。